(57)【要約】      （修正有）【課題】耐火性、耐熱性、防音性、施工性に優れたサイディングパネルを提供する。【解決手段】セラミックウールを含む板状の耐火材２と、板状の耐火材の一方の面に耐熱性接着剤を介して接着されてなるメタルシート４と、板状の耐火材の他方の面及び一対の側面に接着される金属からなる表面板５と、を有するサイディングパネル１とする。この場合において、表面板は、板状耐火材の他方の面及び一対の側面の少なくともいずれかの面において耐熱性接着剤を介して接着され、メタルシートを一方の面の縁部において耐火材と挟み込む挟み込み部が形成され、かつ、挟み込み部と間隙を設けつつ折り返された重ね部が形成されていることが好ましい。【選択図】図２
0003153914.tif 000002
【実用新案登録請求の範囲】
【請求項１】
セラミックウールを含む板状の耐火材と、
前記板状の耐火材の一方の面に耐熱性接着剤を介して接着されてなるメタルシートと、
前記板状の耐火材の他方の面及び一対の側面に接着される金属からなる表面板と、を有するサイディングパネル。
【請求項２】
前記表面板は、板状耐火材の他方の面及び一対の側面の少なくともいずれかの面において耐熱性接着剤を介して接着され、前記メタルシートを前記一方の面の縁部において前記耐火材と挟み込む挟み込み部が形成され、かつ、前記挟み込み部と間隙を設けつつ折り返された重ね部が形成された、請求項１記載のサイディングパネル。
【請求項３】
前記メタルシートはアルミニウムシートであり、
前記表面板は、フッ素系樹脂が塗布されたガルバニウム鋼板又はアルミ板である請求項１記載のサイディングパネル。
【請求項４】
前記板状の耐火材は、幅３０ｃｍ以上５０ｃｍ以下、長さ３００ｃｍ以上５００ｃｍ以下、厚さ１ｃｍ以上２ｃｍ以下である請求項１記載のサイディングパネル。
【考案の詳細な説明】
【技術分野】
【０００１】
本発明は、サイディングパネルに関する。
【背景技術】
【０００２】
サイディングパネルは、住宅の外壁に用いられる部材であって、住宅を外部の風雨や衝撃から守り、断熱性、防火性を確保するための部材であり、モルタル、金属、セメント、セラミック等種々のサイディングパネルが提案されている。
【考案の開示】
【考案が解決しようとする課題】
【０００３】
ところで一般的なサイディングパネルはセメント等窯業系のものが主たるものであり、耐火性には優れているが比重が大きく重いといった課題があり、施工性に課題が残る。またポリマー等を用いる例もあるが、耐熱性に改良の余地があるだけでなく、発火しない程度の温度でも熱が加わった場合発煙し、有毒ガスが発生する恐れがある。また遮音性についても検討がなされていない。
【０００４】
また近年、住宅から漏れ出る生活音に起因する近隣住宅トラブルを未然に防止するため、防音設備を設ける住宅も増えてきているが、防音設備は高価になるといった課題がある。
【０００５】
そこで本考案は、上記課題を鑑み、衝撃耐性、耐熱性、耐火性、防音性、施工性に優れたサイディングパネルを提供することを目的とする。
【課題を解決するための手段】
【０００６】
本考案の一観点に係るサイディングパネルは、セラミックウールを含む板状の耐火材と、この板状の耐火材の一方の面に耐熱性接着剤を介して接着されてなるメタルシートと、この板状の耐火材の他方の面及び一対の側面に接着される表面板と、を有する。
【０００７】
なおこの観点において、限定されるわけではないが、表面板は、板状の耐火材の他方の面及び一対の側面の少なくともいずれかの面において耐熱性接着剤を介して接着され、メタルシートを一方の面の縁部において耐火材と挟み込む挟み込み部が形成され、かつ、挟み込み部と間隙を設けつつ折り返された重ね部が形成されていることが好ましい。
【０００８】
またこの観点において、メタルシートはアルミニウムシートであり、表面板は、フッ素系樹脂が塗布されたガルバニウム鋼板又はアルミ板であることが好ましい。
【０００９】
またこの観点において、板状の耐火材は、幅３０ｃｍ以上５０ｃｍ以下、長さ３００ｃｍ以上５００ｃｍ以下、厚さ１ｃｍ以上２ｃｍ以下であることが好ましい。
【考案の効果】
【００１０】
以上本考案により、より耐火性、耐熱性、防音性、施工性に優れたサイディングパネルを提供することができる。
【図面の簡単な説明】
【００１１】
【図１】実施形態に係るサイディングパネルの概略斜視図である。
【図２】図１のＡ−Ａ’で切断した場合の断面図である。
【考案を実施するための最良の形態】
【００１２】
以下、本考案を実施するための最良の形態について図面を用いて詳細に説明するが、本考案は多くの異なる形態による実施が可能であり、以下に示す実施形態の例示にのみ限定されるものでないことはいうまでもない。
【００１３】
図１は、本実施形態に係るサイディングパネルの概略斜視図であり、図２はサイディングパネルの概略断面図（図１のＡ−Ａ’で切断した場合の断面図）である。これらの図で示すように、本サイディングパネル１は、セラミックウールを含む板状の耐火材２と、板状の耐火材２の一方の面２１に耐熱性接着剤３を介して接着されてなるメタルシート４と、板状の耐火材２の他方の面２２及び一対の側面２３ａ、２３ｂに接着される金属からなる表面板５と、を有する。
【００１４】
また本サイディングパネル１において、表面板５は、耐火材２を覆い、外部からの衝撃等から守るために設けられるとともに、建物の外観上のために用いられる部材であって、板状の耐火材２の他方の面２２及び一対の側面２３ａ、２３ｂの少なくともいずれかの面において耐熱性接着剤３を介して接着されている。また表面板５には、メタルシート４の縁を、耐火材２の一方の面２１の縁部２１１において耐火材２と挟み込む挟み込み部５１が形成され、かつ、この挟み込み部５１と間隙５１１を設けつつ折り返された重ね部５２が形成されている。挟み込み部５１を設けておくことで、耐火材２を十分に密封することができ、重ね部５２を設けることで、同一の構成を有するサイディングパネルとこの重ね部５２により複数組み合わせ、広い面積を有する外壁を構成することが可能となる。
【００１５】
表面板５の材質としては、上記機能を有する限りにおいて限定されるわけではないが、例えばガルバニウム鋼板、アルミニウム板を例示することができ、その厚さとしては限定されるわけではないが、１ｍｍ以上３ｍｍ以下であることが好ましい。１ｍｍ以上とすることで強度を確保することができ、３ｍｍ以下とすることで重量を軽くし持ち運びやすく、施工性を向上させることができる。また表面板５の表面には、フッ素系樹脂塗料層が形成されていることが好ましい。
【００１６】
本サイディングパネル１において、耐火材２は四角形状の板状となっており、長方形状であることが好ましい。長方形状の場合、適宜限定されるわけではないが、幅３０ｃｍ以上５０ｃｍ以下、長さ３００ｃｍ以上５００ｃｍ以下、厚さ１ｃｍ以上２ｃｍ以下であることが日本の住宅建築にあわせて加工しやすく非常に便利である。
【００１７】
また本サイディングパネルにおいて、耐火材２の材質はセラミックウールを含む。セラミックウールを採用することで、耐火性、耐熱性に優れているのみならず、非常に遮音性が高く、また加工も容易で施工性に非常に優れている。特に、セラミックウールを採用することで１２００℃程度の熱にさらされた場合であっても、発火し、燃え広がることも煙を発生させることもほとんどない。なおセラミックウールの密度としては、限定されるわけではないが、０．１ｇ／ｃｍ３以上０．５ｇ／ｃｍ３以下であることが好ましい。０．１ｇ／ｃｍ３以上とすることで十分な耐火性と遮音性を確保することができ、０．５ｇ／ｃｍ３以下とすることで軽く、持ち運びやすく、施工性を向上させることができる。
【００１８】
また、本実施形態において、耐火材２には、セラミックウールのみで構成してもよいが、グラスウールや他の難燃材を含ませてもよい。
【００１９】
なお本実施形態において、耐火材２と表面板５との間には、耐熱性接着剤３が設けられ、これらの間を強固に接着する。耐熱性接着剤３の例としては、耐火材２の耐火温度程度のものがあることが好ましく、例えばシリカやアルミナ等の耐火性セラミックを含む無機接着剤を好適に用いることができる。
【００２０】
また本サイディングパネル１において、メタルシートは薄い板であって、湿気等から耐熱材２を保護するものであって、材料としては限定されるわけではないが、アルミニウムであることが好ましい。アルミニウムシートとすることで密封性を高くして吸湿等を防止して耐候性を高め、かつ、外部から熱が加えられた場合であっても、アルミニウムシート側で高効率に放熱することが可能となるといった効果がある。メタルシートの厚さとしては、特に限定されるわけではないが、ある程度の強度を保ち、表面板以下の厚さであることが好ましく、例えば０．１ｍｍ以上１ｍｍ以下の範囲にあることが好ましく、より好ましくは０．１ｍｍ以上０．５ｍｍ以下である。
【００２１】
また本実施形態において、メタルシートと耐火材との間にも、耐熱性接着剤６が設けられ、これらの間を強固に接着しておくことが好ましい。この耐熱性接着剤の例としては、上記耐火材２と表面板５の間に設けられるものと同様のものを用いることができ、耐火温度程度のものがあることが好ましく、例えばシリカやアルミナ等の耐火性セラミックを含む無機接着剤を好適に用いることができる。
【００２２】
以上、本考案により耐火性、耐熱性、防音性、施工性に優れたサイディングパネルを提供することができる。
【産業上の利用可能性】
【００２３】
本考案に係るサイディングパネルは、住宅建築の材料として生産、使用することが可能であり、産業上の利用可能性を有する。
【図１】
0003153914.tif 000003
【図２】
0003153914.tif 000004